(57)【要約】【課題】アンカーボルト挿通孔が過大孔として形成されているベースプレートに作用する地震や風などによるせん断力を適正にアンカーボルトに伝達することができ、コスト面でも改善された露出型柱脚の定着構造と、これに使用する座金を提供する。【解決手段】鉄骨柱の下端部に固着されたベースプレート２が、基礎コンクリート９の上面に突出するアンカーボルト３で固定された露出型柱脚の定着構造において、アンカーボルト３はベースプレート２の過大孔４に挿通され、上座金と下座金からなる入れ子座金５と平座金６を挿通した状態で２個のナット８，８で締結されている。この場合、入れ子座金５の上座金２０の上面に空気抜き用の溝部２２が形成されているため、グラウト材Ｇはベースプレート２の過大孔４内で滞留する空気を溝部２２から排出しながら入れ子座金５の脚部の下面にまで到達し、アンカーボルト３の周囲の隙間がグラウト材Ｇで確実に充填される。【選択図】図１２
2020016104.tif 000002
【特許請求の範囲】
【請求項１】
鉄骨柱の下端部に固着したベースプレートのアンカーボルト挿通用の過大孔に対して、座金の下面に設けた脚部が上面側から嵌入し、基礎コンクリート表面に突出するアンカーボルトを該座金に挿通した状態で、アンカーボルトに螺合するナットで上方から締め付け、前記ベースプレートの下面側へのグラウト材の充填により前記鉄骨柱を前記基礎コンクリート上に固定する露出型柱脚の定着構造であって、前記座金の脚部の長さが、前記ベースプレートの板厚より小さく、該脚部より下方の過大孔の内部が、該ベースプレートの下面側に侵入した前記グラウト材で充填されていることを特徴とする露出型柱脚の定着構造。
【請求項２】
前記ベースプレートの板厚ｔ、前記過大孔の直径Ｄ及び前記座金の脚部の長さＦｂの関係が、（ｔ−Ｆｂ）／Ｄ＞０．１である請求項１に記載の露出型柱脚の定着構造。
【請求項３】
請求項１または請求項２に記載の露出型柱脚の定着構造で使用する座金であって、グラウト材の注入時において、ベースプレートの下方に滞留する空気を外部に逃がす空気抜き部を備えることを特徴とする座金。
【請求項４】
前記座金が、それぞれ座部と同心に脚部を形成した大小二個の上座金と下座金を備え、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、該下座金の脚部受入れ孔に前記上座金の脚部を挿入して上下に重ね合わせた入れ子座金であり、前記空気抜き部が、前記上座金の座部の上面でアンカーボルト受入れ孔から外周面に至る溝部である請求項３に記載の座金。
【請求項５】
前記溝部が、座部の最小幅の位置に設けられている請求項４に記載の座金。
【請求項６】
前記溝部が、アンカーボルト受入れ孔を中心として放射状に複数個設けられている請求項４または５に記載の座金。
【請求項７】
前記溝部のアンカーボルト受入れ孔側が、アンカーボルト受入れ孔の上端部に形成された環状傾斜面に開口している請求項４または５に記載の座金。
【請求項８】
前記座金が、それぞれ座部と同心に脚部を形成した大小二個の上座金と下座金を備え、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、該下座金の脚部受入れ孔に前記上座金の脚部を挿入して上下に重ね合わせた入れ子座金であり、前記空気抜き部が、前記下座金の脚部の外周面に形成した軸心方向の縦溝と、座部の下面で該縦溝に連続すると共に座部の外周面に開口する径方向の横溝である請求項３に記載の座金。
【請求項９】
前記座金が、それぞれ座部と同心に脚部を形成した大小二個の上座金と下座金を備え、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、該下座金の脚部受入れ孔に前記上座金の脚部を挿入して上下に重ね合わせた入れ子座金と、この入れ子座金の上面側に重ねた平座金の組合せであり、前記空気抜き部が、該平座金を周方向の1か所で分断する切欠き部である請求項３に記載の座金。
【発明の詳細な説明】
【技術分野】
【０００１】
本発明は、鉄骨造あるいは鉄骨鉄筋コンクリート造などで使用される露出型柱脚の定着構造において、アンカーボルト挿通用の過大孔を設けたベースプレートの下面と基礎コンクリートの上面との間に形成される空間及びベースプレートの過大孔内部へのグラウト材の充填技術と、ベースプレートの過大孔に装着してアンカーボルトの締め付けに用いる座金に関するものである。
【背景技術】
【０００２】
露出型柱脚において、アンカーボルトが上端部を残して基礎コンクリートの所定位置に埋設され、鉄骨柱の下端に固着されたベースプレートは、複数本のアンカーボルトによって基礎コンクリートに定着される。具体的には、ベースプレートにアンカーボルトの挿通孔が所定位置に複数形成され、これら挿通孔にアンカーボルトを挿通し、座金を介して螺合するナットの締付けによりベースプレートを固定している。この場合、ベースプレートは基礎コンクリートの上面に設けたレベルモルタルの上に載置され、基礎コンクリートの上面とベースプレート下面との間に形成された空間及びベースプレートの過大孔内部に無収縮モルタル等のグラウト材を注入充填することにより両者の密着が図られている。
【０００３】
アンカーボルトは、柱脚の応力伝達の媒体として引張力、せん断力を負担すると同時に、鉄骨建て方時の位置決めに必要であることから、その設置に際しては高い精度が求められる。すなわち、水平方向の位置と垂直度がアンカーボルトにとって重要である。ところで、露出型柱脚でベースプレートに設けるアンカーボルトの挿通孔は、アンカーボルト径＋５ｍｍ以内としなければならないことが建築基準法で規定されている。ただし、この規定は、構造計算等 (実験を含む)で安全が確認された場合には適用されない。そこで、アンカーボルトの施工誤差（位置ずれ）への対策として、アンカーボルト挿通孔の大きさを規定よりも拡大した過大孔に形成し、この過大孔に対して、当該過大孔の内径に合わせた外径の脚部を備える専用の座金を装着する技術が提案されている（特許文献１〜４参照）。
【先行技術文献】
【特許文献】
【０００４】
【特許文献１】特開平１０−２１３１２３号公報（図２，６，７参照）
【特許文献２】特開２００７−５７００４号公報（図８参照）
【特許文献３】特開平７−２９２７７２号公報（図２参照）
【特許文献４】特開平６−７４２２７号公報（図１参照）
【０００５】
上記座金は、大小二枚１組の円板状の上座金（小座金）と下座金（大座金）を上下に重ね合わせた入れ子状の形態をなしたものである。上下の座金は、それぞれ座部の下面側に円形状の脚部が形成されている共通する形態をなし、いずれも座部の中心から偏心した位置において、下座金には上座金を嵌合するための孔が、また上座金にはアンカーボルトを挿通するための孔が、それぞれ座部と脚部を貫通するように設けられている。この場合、上座金の脚部が下座金の偏心孔に対して所定のクリアランスをもって嵌合され、円周方向に相対回転が可能になっている。鉄骨建て方作業において、基礎コンクリート上面に突出するアンカーボルトの位置が設計値よりずれていたときには、これら上下の座金を左右方向に回転して互いの位置関係を調整することにより、アンカーボルトを貫通させた状態で座金をベースプレートのアンカーボルト挿通孔に装着できる。さらに、この種の座金は、過大孔として形成されたベースプレートのアンカーボルト挿通孔を上下の座金の脚部でほぼ隙間なく充填する構造であるから、地震や風などによってせん断力がベースプレートに負荷されたとき、そのせん断力を座金下面の脚部を介して適正にアンカーボルトに伝えることができるという利点がある。
【０００６】
これら大小二枚１組で構成される入れ子状の座金（以下、入れ子座金と称することもある。）は、上座金と下座金が、いずれも略三日月状の断面をした円筒部（脚部）の上部に座部となる鍔状部分を備え、大径の下座金の内側に小径の上座金が納まっている。そして、ベースプレートの過大なアンカーボルト挿通孔に入れ子座金を装着した状態において、各部材の間に存在するクリアランスの合計が最大5ｍｍとなるように設計されている。具体的には、上座金の偏心孔（アンカーボルト受入れ孔）とアンカーボルトとの間の間隙、上座金の脚部が納まる下座金の偏心孔（脚部受入れ孔）と上座金の脚部との間の間隙、ベースプレートのアンカーボルト挿通孔（過大孔）と下座金の脚部との間の間隙の合計が5ｍｍ以内になることである。
【発明の概要】
【発明が解決しようとする課題】
【０００７】
ところで、特許文献１に記載の座金は、ベースプレートのアンカーボルト挿通孔に嵌合する円筒状の部分（下座金の脚部）がベースプレートの板厚とほぼ同じ長さであり、下座金の偏心孔（脚部受入れ孔）に入り込む上座金の脚部も同様に形成されている。この種の入れ子座金では、上述したように各部材間での適正なクリアランスの確保が特に重要であるから、高い精度で機械加工する部分が多くなり、製造コストの上昇が避けられない。このことは、この座金を使用する露出型柱脚の施工コストにも反映され、コストアップの一因となっていた。
【０００８】
これに対して、特許文献２〜４に記載の座金は、下座金と上座金の脚部長がいずれもベースプレートの板厚の半分以下に形成されている。このため、前者に比べて加工する部分が減少することにより、座金自体の製造コストが低下し、このタイプの座金は、露出型柱脚のコストを削減するのに有効である。ところが、露出型柱脚の定着後において、ベースプレートのアンカーボルト挿通孔内では、座金の脚部長が短くなったことにより、その分だけ座金の下方側に空隙部分が残る。すなわち、アンカーボルト挿通孔内でアンカーボルトの周囲に空隙部分が形成されることから、ベースプレートに作用するせん断力がアンカーボルトに対して適正に伝達されず、柱脚構造の力学性能の低下につながるという問題点があった。
【０００９】
本発明は、上記従来技術の課題を解決するために創出されたもので、アンカーボルト挿通孔が過大孔として形成されているベースプレートにより作用する地震や風などにより作用するせん断力を適正にアンカーボルトに伝達することができ、コスト面でも改善された露出型柱脚の定着構造と、これに使用する座金の提供を目的とする。
【課題を解決するための手段】
【００１０】
上記課題を解決するための技術手段として、本願の請求項１に係る発明は、鉄骨柱の下端部に固着したベースプレートのアンカーボルト挿通用の過大孔に対して、座金の下面に設けた脚部が上面側から嵌入し、基礎コンクリート表面に突出するアンカーボルトを座金に挿通した状態で、アンカーボルトに螺合するナットで上方から締め付け、ベースプレートの下面側へのグラウト材の充填により鉄骨柱を基礎コンクリート上に固定する露出型柱脚の定着構造において、座金の脚部の長さをベースプレートの板厚より小さくすると共に、脚部より下方の過大孔の内部をベースプレートの下面側より入り込んだグラウト材で充填する、という構成を採用した点に特徴がある。
【００１１】
上記構成によれば、座金を介してアンカーボルトが挿通されるベースプレートの過大孔において、アンカーボルトが貫通している座金の脚部より下方の部分がグラウト材で充填され、アンカーボルトの周囲に実質的に空隙が生じないので、地震や風などによりベースプレートに作用するせん断力が、それら座金の脚部と下方に充填されたグラウト材とで確実（適正）にアンカーボルトに伝達されることになる。これにより、本発明の定着構造では、アンカーボルト挿通用の過大孔のクリアランスを法令に定める規定の値（５ｍｍ以内）とした場合と同等の力学性能を得ることができる。
【００１２】
さらに、上記請求項１の構成について、ベースプレートの板厚ｔ、過大孔の直径Ｄ及び座金の脚部の長さＦｂの関係について、（ｔ−Ｆｂ）／Ｄ＞０．１とすることが好適である（請求項２）。座金は、過大孔の内部で硬化したグラウト材の強度でせん断性能が決まるため、過大孔の内部に充填され硬化しているグラウト材の状態が重要である。過大孔の内部に入り込んだグラウト材の高さは、ベースプレートの底面から座金の脚部底面までの距離であるから、ベースプレートの板厚ｔから座金の脚部の長さＦｂを引いた値となる。そして、この硬化したグラウト材の高さ（ｔ−Ｆｂ）の過大孔の直径Ｄに対する比をグラウト縦横比としたとき、このグラウト縦横比が０．１以上となるような条件に設定することが好ましい。このような条件では、グラウト材の圧縮強度が十分に発揮され、座金の脚部と一体となって地震や風などによるせん断力をアンカーボルトに対して確実に伝達することができる。グラウト縦横比は、その値が大きいほどせん断性能が向上する。せん断性能を発揮する好適な条件は、グラウト縦横比が０．１以上であり、さらにグラウト縦横比が０．３以上あれば一般的な建築物の設計において十分なせん断性能を有する。
【００１３】
次に、請求項３に係る発明は、請求項１または請求項２に記載の露出型柱脚の定着構造で使用する座金に関するものであり、グラウト材の注入時において、ベースプレートの下方及び過大孔内部に滞留する空気を外部に逃がす空気抜き部を備えたことに特徴がある。この構成によれば、ベースプレートと基礎コンクリートとの間の空間に注入されたグラウト材は、ベースプレート下面及び過大孔内部に滞留する空気を座金の空気抜き部で外部に押し出しながらベースプレートの過大孔の内部に下面側から入り込み、アンカーボルト周囲の隙間を確実に埋めることができる。
【００１４】
さらに、上記請求項３の構成について、座金が、それぞれ座部と同心に脚部を形成した大小二個の上座金と下座金を備え、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、下座金の脚部受入れ孔に上座金の脚部を挿入して上下に重ね合わせた入れ子座金であり、空気抜き部が、上座金の座部の上面でアンカーボルト受入れ孔から外周面に至る溝部とした構成にすることができる（請求項４）。
【００１５】
上記構成によれば、基礎コンクリートに下端側が埋め込まれ上端側がその上面に突出するアンカーボルトにベースプレートの過大孔を合わせて鉄骨柱脚を基礎コンクリート上に載置し、座金を介してアンカーボルトに螺合するナットで締め付ける作業において、そこで使用する座金が、上座金のアンカーボルト受入れ孔と下座金の脚部受入れ孔を座金の中心より偏心させると共に、座部の下面に脚部を設けた大小二個の座金を上下に入れ子状に重ね合わせた構造であるから、アンカーボルトの設置位置がずれていたとき、これら上下の座金を左右に回転させることで確実に過大孔に装着でき、鉄骨建て方作業が容易になる。さらに、上座金には空気抜き部となる溝部が設けられているので、ベースプレートの過大孔内に残る空気は、ベースプレート下面に注入されたグラウト材が下面側から内部に入り込むことによって外部に排出され、ベースプレートの過大孔の内部がグラウト材で確実に充填される。
【００１６】
また、上記請求項４の構成について、空気抜き部となる溝部を座部の最小幅の位置に設けることが好都合である（請求項５）。この場合には、座部の上面がナットや他の平座金で覆われた場合に、過大孔の内部空間から座部の外周面に至るまでの距離が最短距離となるので、確実に空気排出機能を発揮することができる。
【００１７】
さらに、上記請求項４の構成について、複数個の溝部を放射状に設けること（請求項６）、あるいは溝部のアンカーボルト受入れ孔側をアンカーボルト受入れ孔の上端部に形成された環状傾斜面に開口させること（請求項７）も可能であり、いずれの場合においてもグラウト材の注入時に溝部が空気排出機能を確実に発揮し、グラウト材の密実充填に大きく寄与する。
【００１８】
また、上記請求項３の構成について、座金が、それぞれ座部と同心に脚部を形成した大小二個の上座金と下座金を備え、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、下座金の脚部受入れ孔に上座金の脚部を挿入して上下に重ね合わせた入れ子座金であり、空気抜き部が、下座金の脚部の外周面に形成した軸心方向の縦溝と、座部の下面で縦溝に連続すると共に座部の外周面に開口する径方向の横溝とした構成にすることができる（請求項８）。
【００１９】
さらに、上記請求項３の構成において、座金が、それぞれ座部と同心に脚部を形成した大小二個の上座金と下座金を備え、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、下座金の脚部受入れ孔に上座金の脚部を挿入して上下に重ね合わせた入れ子座金と、この入れ子座金の上面側に重ねた平座金の組合せであり、空気抜き部が、平座金を周方向の1か所で分断する切欠き部とした構成にすることができる（請求項９）。これら請求項８，９に係る座金は、請求項４に係る座金と同様な空気排出機能が得られ、ベースプレートの過大孔に対するグラウト材の密実充填が可能である。
【発明の効果】
【００２０】
本発明は、上記構成を採用したことにより、以下のような効果を得ることができる。
（１）ベースプレートの過大孔に嵌合する座金の脚部長をベースプレートの板厚よりも短くしたことにより、精密な機械加工を行う部分がその分だけ減少するので、座金の製造コストが低減する。したがって、この座金を使用する露出型柱脚のコストも低減されることになる。
（２）アンカーボルトが挿通されているベースプレートの下面側では、グラウト材が過大孔の下端側からその内部空間に入り込むとき、座金の脚部より下側でアンカーボルト周囲の空間に滞留している空気が、座金の空気抜き部を介して容易に外部に放出されるので、グラウト材の過大孔への流入が阻害されることがなく、アンカーボルト周囲の間隙がグラウト材で確実に充填される。すなわち、ベースプレートの過大孔内におけるアンカーボルトは、アンカーボルトが貫通した状態で過大孔に嵌合する座金の円筒状の脚部と、その直下にまで入り込んで過大孔内で硬化したグラウト材とにより、実質的に隙間なく包囲されるので、地震や風などによりベースプレートに作用するせん断力が、座金の脚部とアンカーボルト周囲にあるグラウト材とでアンカーボルトに伝達され、さらに基礎コンクリートへとスムーズに伝達されるので、露出型柱脚としての所要の固定性能を得ることができる。
【図面の簡単な説明】
【００２１】
【図１】本発明に係る露出型柱脚の定着構造を示す斜視図である。
【図２】（ａ）及び（ｂ）は、図１の定着構造で使用する入れ子座金の一方の構成部材である上座金の平面図と断面図である。
【図３】（ａ）〜（ｃ）は、図１の定着構造で使用する入れ子座金の他方の構成部材である下座金の平面図、斜視図及びＡ−Ａ断面図である。
【図４】過大孔の中心に位置するアンカーボルトと、図２の上座金及び図３の下座金からなる入れ子座金の嵌合状態を示す断面図である。
【図５】過大孔の中心から外れたアンカーボルトと、図２の上座金及び図３の下座金からなる入れ子座金の嵌合状態を示す断面図である。
【図６】本発明に係る露出型柱脚の定着構造の施工において、基礎コンクリート上でのレベルモルタルの設置状態を示す断面図である。
【図７】図６の次工程として、鉄骨建て方作業でのアンカーボルトの締付け状態を示す断面図である。
【図８】図７の次工程として、ベースプレートの周囲に型枠を設置した状態を示す平面図である。
【図９】図８の次工程として、グラウト材の注入方法を示す断面図である。
【図１０】本発明に係る露出型柱脚の定着構造について、施工が完了した状態を示す断面図である。
【図１１】図１０のＢ−Ｂ断面図である。
【図１２】アンカーボルトの締結部を拡大した断面図である。
【図１３】（ａ）〜（ｃ）は、空気抜き部の形態が異なる上座金の平面図、正面図及び断面図である。
【図１４】（ａ）〜（ｃ）は、空気抜き部を設けた下座金の平面図、正面図及びＣ−Ｃ断面図である。
【図１５】（ａ）及び（ｂ）は、空気抜き部を設けた平座金の平面図と斜視図である。
【図１６】図１５の平座金を使用した露出型柱脚の定着構造を示す斜視図である。
【発明を実施するための形態】
【００２２】
以下、本発明の実施形態について、添付図面を参照しながら説明する。図１は、本発明に係る露出型柱脚の定着構造について、一部のアンカーボルトの締結部を分解して外観全体を示した斜視図である。なお、本発明の特徴部分であるアンカーボルトの締結部に関しては、全体構造の説明をした後、図１２を中心にして詳しく説明する。図示の露出型柱脚の定着構造は、鉄骨柱１の下端部に固着されたベースプレート２が、基礎コンクリート（図示せず）上面に突出するアンカーボルト３で固定されたものである。ベースプレート２には、適用するアンカーボルト３の呼び径（Ｍ１２〜Ｍ８０）に応じて、その径よりも２２〜５０ｍｍ程度拡大した過大孔４が四隅の位置に形成されている。そして、それぞれのアンカーボルト３は、次に詳述する入れ子座金５と平座金６の組合せからなる座金７を挿通した状態で２個のナット８，８で締結されている。
【００２３】
図２，３は、入れ子座金５を２個１組で構成する上座金２０と下座金３０をそれぞれ示したものである。図２に示した上座金２０は、円板状の座部２１の上面に空気抜き部となる３個の溝部２２が放射状に形成され、その下面に脚部２３を同心状に形成した形態をなしている。さらに、アンカーボルト３の軸径に合わせた内径のアンカーボルト受入れ孔２４が、円板状の座部２１に対して偏心した位置で座部２１と脚部２３を貫通している。図３に示す下座金３０は、上座金２０の座部２１の外径よりも大きい円板状の座部３１の下面側にベースプレート２の過大孔４の内径に合わせた外径の脚部３２が座部３１と同心状に形成されると共に、上座金２０の脚部２３の外径に合わせた内径の脚部受入れ孔３３が、座部３１に対して偏心した位置で座部３１と脚部３２を貫通している。これらの上座金２０と下座金３０は、下座金３０の脚部受入れ孔３３に上座金２０の脚部２３を挿入し、互いの座部２１，３１を上下に重ね合わせた状態で入れ子座金５として使用される。
【００２４】
図４，５は、アンカーボルト３とベースプレートの過大孔４と入れ子座金５との関係を示し、互いの嵌合状態を明示するためにそれぞれの脚部２３，３２の位置で横断した断面図である。図４において、アンカーボルト３はベースプレート２の過大孔４のほぼ中心に位置している。すなわち、設計通りにアンカーボルト３が設置されている状況であり、この場合には、上座金２０と下座金３０の互いの嵌合位置は限定されるが、ベースプレート２の過大孔４に対しては、この嵌合状態（相対位置）を維持する限りにおいては、周方向のどの位置であっても下座金３０の脚部３２を嵌入させて装着することができる。
【００２５】
ところが、図５のようにアンカーボルト３が過大孔４の中心から外れている場合には、ベースプレート２の過大孔４と上座金２０と下座金３０の位置関係が重要になり、特定の位置でないと装着することができない。具体的な装着方法としては、まず下座金３０を回転することによってベースプレート２の過大孔４内にその脚部３２を嵌入する。次に、アンカーボルト３の上端を上座金２０のアンカーボルト受入れ孔２４に挿通した状態で上座金２０を回転（必要により下座金３０を回転）する。これにより、上座金２０が下座金３０の脚部受入れ孔３３内に嵌入すると同時に、アンカーボルト３の上端が上座金２０のアンカーボルト受入れ孔２４に対して適正に挿通された状態になる。そして、このような状態で図１に示すように、アンカーボルト３にダブルナット（シングルナットでもよい。）８，８を螺合して締め付けると、アンカーボルト３は入れ子座金５（上座金２０と下座金３０）によって過大孔４内で大きな隙間が生じることなく、その位置ずれも併せて吸収され、ベースプレート２を強固に固定する。
【００２６】
次に、本発明に係る露出型柱脚の定着構造について、図６〜１１を参照しながらその施工方法を説明する。図６に示すように、アンカーフレームなどの公知の手段により、複数本のアンカーボルト３を基礎コンクリート９の所定位置に突出状態で設置し、基礎コンクリート９が硬化した後、テンプレート１０を取り外し、レベルモルタル１１を適宜の場所に敷設する。
【００２７】
これに続く鉄骨建て方作業として、図７に示すように、鉄骨柱１の下端部に固着されているベースプレート２のアンカーボルト挿通用の過大孔４にアンカーボルト３を挿入しながら、レベルモルタル１１上にベースプレート２を載置し、水平方向の位置調整を行う。さらに、上記入れ子座金５を構成する上座金２０と下座金３０をアンカーボルト３に嵌め入れ、アンカーボルト３の位置ずれ状況に応じて適宜方向に回転し、ベースプレート２の過大孔４に対して下座金３０の脚部３２を嵌合する。さらに、上座金２０の上面に平座金６を重ねた後、２個のナット８，８で締め付ける。
【００２８】
図８は、図７の鉄骨建て方作業の次工程として、ベースプレートの周囲に型枠を設置した状態を示す平面図である。ベースプレート２に対して、例えば５０ｍｍの間隔をあけて型枠１２を矩形状に立設する。なお、ベースプレート２あるいは型枠１２にグラウト材の注入口を設けるようにした場合には、型枠１２をベースプレート２の側面に密接するように設置する。
【００２９】
次いで、図９に示すように、ベースプレート２の外側からグラウト注入具１３で無収縮モルタル等のグラウト材Ｇを型枠１２の上端位置までゆっくりと流し入れる。グラウト材Ｇは、ベースプレート２の下面と基礎コンクリート９との隙間を満たし、さらにベースプレート２の過大孔４内に入り込み、入れ子座金５の下方にある空隙を上昇する。本発明では、入れ子座金５の上座金２０が、その座部２１の上面に放射状に配置された３個の溝部２２を有することにより、ベースプレート２の下面及び過大孔４内に滞留する空気は、上座金２０のアンカーボルト受入れ孔２４とアンカーボルト３の隙間から上座金２０の溝部２２を通過して確実に外部に排出される。このような空気抜き手段の存在により、グラウト材Ｇは円滑に過大孔４内に入り込んで内部空間を確実に埋めることができる
【００３０】
図１０，１１は、本発明に係る露出型柱脚の定着構造について、注入したグラウト材Ｇが硬化し、型枠１２を外した施工完了状態を示す断面図とＢ−Ｂ断面図である。図に示すようにグラウト材Ｇは、ベースプレート２の過大孔４内で入れ子座金５の脚部下面にまで到達している。これにより、ベースプレート２の過大孔４において、アンカーボルト３の周囲の隙間がグラウト材Ｇで確実に充填されることになる。
【００３１】
図１２は、アンカーボルト３の締結部を拡大した断面図である。この場合、入れ子座金５は、ベースプレート２の過大孔４の内部で硬化したグラウト材Ｇによってそのせん断性能が影響を受けるため、過大孔４の内部に充填されているグラウト材Ｇの状態、具体的には縦横の寸法比が重要である。せん断性能を発揮するには、ベースプレート４の板厚ｔ、過大孔４の直径Ｄ、入れ子座金５の下座金３０における脚部３２の長さＦｂの関係が、（ｔ−Ｆｂ）／Ｄ＞０．１となるように設定することが好ましく、さらに一般的な建築物の設計においては０．３以上あれば十分である。なお、入れ子座金５に関しては、ベースプレート２の過大孔４に挿入される部分の長さ、すなわち下座金３０における脚部３２の長さＦｂが短くなるほど、加工面積が減少するのでコスト低減の面からは有利である。しかしながら、脚部３２の長さＦｂをあまり短くすると、ベースプレート２の過大孔４における掛合状態が不安定になり、施工時の位置決め機能が大幅に低下する。コストと強度のバランスを考慮すると、脚部３２の長さＦｂは、ベースプレート４の板厚ｔの１／４程度が好適である。
【００３２】
図１３（ａ）〜（ｃ）は、上記実施形態と同様な入れ子座金において、空気抜き部を図３とは異なる形態にした上座金の平面図、正面図及び断面図である。この場合の下座金は、図３に記載のものを使用する。図示の上座金４０は、座部４１の下面に同心状に脚部４２が設けられる点では図２のものと共通するが、溝部４３が座部４１の最も幅の狭い位置に１個形成され、その溝部４３がアンカーボルト受入れ孔４４の上端部に形成された環状傾斜面４５に開口し、これら溝部４３と環状傾斜面４５とにより空気抜き部が構成されたものである。
【００３３】
図１４（ａ）〜（ｃ）は、同じく上記実施形態と同様な入れ子状の座金において、空気抜き部を設けた下座金の平面図、正面図及び断面図である。図示の下座金５０は、座部５１の下面に同心状に脚部５２が設けられる点では図３のものと共通する。この場合、空気抜き部は、下座金５０の脚部５２の外周面に形成した軸心方向の縦溝５３と、座部５１の下面で一端側が縦溝５３に連続すると共に、他端側が座部５１の外周面に開口する径方向の横溝５４とで構成されている。空気抜き部は、脚部受入れ孔５５を中心として放射状に３個設けられている。なお、これまでに説明した上座金２０，４０，下座金５０において、溝部の大きさは幅2mm、深さ1mm以上が好ましい。また、本発明に係る露出型柱脚の定着構造において、空気抜き部が形成された入れ子座金を使用する場合には、上座金とナットとの間に平座金を設けることは必須要件ではない。
【００３４】
図１５（ａ）及び（ｂ）は、入れ子座金と併用する平座金の平面図と斜視図であり、図１６はその平座金を使用した露出型柱脚の定着構造を示す斜視図である。平座金６０は、円環状の座金本体６１が周方向の1か所で分断された略Ｃ字状をなす形態であり、この切欠き部６２が空気抜き部として機能するものである。図１６に示すように平座金６０は、上座金１４及び下座金１５のいずれにも溝部等の空気抜き手段が形成されていない通常の入れ子座金１６の上面側に重ねて使用されるものである。この場合、ベースプレート２の過大孔４の内部空間に滞留している空気は、グラウト材に押されて上座金１４のアンカーボルト受入れ孔１４ａの内周面とアンカーボルト３の外周面との間隙を通過し、平座金６０の切欠き部６２から外部に排出される。このような実施形態においても、入れ子座金１６の直下の空間がグラウト材で充填されるので、所要の力学性能が得られる。
【００３５】
なお、本発明は上記実施形態に限定されるものではなく、入れ子座金に空気抜き部を設ける場合には、少なくとも上下の座金のどちらか一方に形成すればよいが、両方に設けることももちろん可能である。さらに、空気抜き部の形状や数、設置場所の変更など、本発明の技術思想内でさまざまな変更実施が可能である。
【産業上の利用可能性】
【００３６】
本発明に係る露出型柱脚の定着構造と、これに使用する座金は、鉄骨造などの建造物に使用された場合にその優位性が発揮され、構造躯体の耐震性能、施工性、経済性を向上させる手段としてさらなる展開が期待される。
【符号の説明】
【００３７】
１…鉄骨柱、２…ベースプレート、３…アンカーボルト、４…過大孔、５，１６…入れ子座金、６，６０…平座金、７…座金、８…ナット、９…基礎コンクリート、１０…テンプレート、１１…レベルモルタル、１２…型枠、１３…グラウト注入具、１４，２０，４０…上座金、１５，３０，５０…下座金、２１，３１，４１，５１…座部、２３，３２，４２，５２…脚部、１４ａ，２４…アンカーボルト受入れ孔、２２，４３，５３，５４…溝部、３３，５５…脚部受入れ孔、Ｇ…グラウト材
【図１】
2020016104.tif 000003
【図２】
2020016104.tif 000004
【図３】
2020016104.tif 000005
【図４】
2020016104.tif 000006
【図５】
2020016104.tif 000007
【図６】
2020016104.tif 000008
【図７】
2020016104.tif 000009
【図８】
2020016104.tif 000010
【図９】
2020016104.tif 000011
【図１０】
2020016104.tif 000012
【図１１】
2020016104.tif 000013
【図１２】
2020016104.tif 000014
【図１３】
2020016104.tif 000015
【図１４】
2020016104.tif 000016
【図１５】
2020016104.tif 000017
【図１６】
2020016104.tif 000018
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
鉄骨柱の下端部に固着したベースプレートのアンカーボルト挿通用の過大孔に対して、座金の下面に設けた脚部が上面側から嵌入し、基礎コンクリート表面に突出するアンカーボルトを該座金に挿通した状態で、アンカーボルトに螺合するナットで上方から締め付け、前記ベースプレートの下面側へのグラウト材の充填により前記鉄骨柱を前記基礎コンクリート上に固定する露出型柱脚の定着構造であって、前記座金が、それぞれ座部と同心に脚部を形成した大小二個の上座金と下座金で構成され、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、該下座金の脚部受入れ孔に前記上座金の脚部を挿入して上下に重ね合わせた構造からなる入れ子座金と、グラウト材の注入時において、過大孔の下方から入り込んだグラウト材により押された過大孔内部の空気を外部に逃がす空気抜き部を備え、前記入れ子座金の脚部の長さが、前記ベースプレートの板厚より小さく、該脚部より下方の過大孔の内部が、該ベースプレートの下面側に侵入した前記グラウト材で充填されていることを特徴とする露出型柱脚の定着構造。
【請求項２】
前記ベースプレートの板厚ｔ、前記過大孔の直径Ｄ及び前記入れ子座金の脚部の長さＦｂの関係が、（ｔ−Ｆｂ）／Ｄ＞０．１である請求項１に記載の露出型柱脚の定着構造。
【請求項３】
請求項１または請求項２に記載の露出型柱脚の定着構造で使用する座金であって、前記空気抜き部が、前記入れ子座金における上座金の座部の上面でアンカーボルト受入れ孔から外周面に至る溝部であることを特徴とする座金。
【請求項４】
前記溝部が、座部の最小幅の位置に設けられている請求項３に記載の座金。
【請求項５】
前記溝部が、アンカーボルト受入れ孔を中心として放射状に複数個設けられている請求項３または４に記載の座金。
【請求項６】
前記溝部のアンカーボルト受入れ孔側が、アンカーボルト受入れ孔の上端部に形成された環状傾斜面に開口している請求項３または４に記載の座金。
【請求項７】
請求項１または請求項２に記載の露出型柱脚の定着構造で使用する座金であって、前記空気抜き部が、前記入れ子座金における下座金の脚部の外周面に形成した軸心方向の縦溝と、座部の下面で該縦溝に連続すると共に座部の外周面に開口する径方向の横溝であることを特徴とする座金。
【請求項８】
請求項１または請求項２に記載の露出型柱脚の定着構造で使用する座金であって、前記座金が、それぞれ座部と同心に脚部を形成した大小二個の上座金と下座金で構成され、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、該下座金の脚部受入れ孔に前記上座金の脚部を挿入して上下に重ね合わせた構造からなる入れ子座金と、この入れ子座金の上面側に重ねた平座金の組合せからなり、前記空気抜き部が、該平座金を周方向の1か所で分断する切欠き部であることを特徴とする座金。
【手続補正２】
【補正対象書類名】明細書
【補正対象項目名】全文
【補正方法】変更
【補正の内容】
【発明の詳細な説明】
【技術分野】
【０００１】
本発明は、鉄骨造あるいは鉄骨鉄筋コンクリート造などで使用される露出型柱脚の定着構造において、アンカーボルト挿通用の過大孔を設けたベースプレートの下面と基礎コンクリートの上面との間に形成される空間及びベースプレートの過大孔内部へのグラウト材の充填技術と、ベースプレートの過大孔に装着してアンカーボルトの締め付けに用いる座金に関するものである。
【背景技術】
【０００２】
露出型柱脚において、アンカーボルトが上端部を残して基礎コンクリートの所定位置に埋設され、鉄骨柱の下端に固着されたベースプレートは、複数本のアンカーボルトによって基礎コンクリートに定着される。具体的には、ベースプレートにアンカーボルトの挿通孔が所定位置に複数形成され、これら挿通孔にアンカーボルトを挿通し、座金を介して螺合するナットの締付けによりベースプレートを固定している。この場合、ベースプレートは基礎コンクリートの上面に設けたレベルモルタルの上に載置され、基礎コンクリートの上面とベースプレート下面との間に形成された空間及びベースプレートの過大孔内部に無収縮モルタル等のグラウト材を注入充填することにより両者の密着が図られている。
【０００３】
アンカーボルトは、柱脚の応力伝達の媒体として引張力、せん断力を負担すると同時に、鉄骨建て方時の位置決めに必要であることから、その設置に際しては高い精度が求められる。すなわち、水平方向の位置と垂直度がアンカーボルトにとって重要である。ところで、露出型柱脚でベースプレートに設けるアンカーボルトの挿通孔は、アンカーボルト径＋５ｍｍ以内としなければならないことが建築基準法で規定されている。ただし、この規定は、構造計算等 (実験を含む)で安全が確認された場合には適用されない。そこで、アンカーボルトの施工誤差（位置ずれ）への対策として、アンカーボルト挿通孔の大きさを規定よりも拡大した過大孔に形成し、この過大孔に対して、当該過大孔の内径に合わせた外径の脚部を備える専用の座金を装着する技術が提案されている（特許文献１〜４参照）。
【先行技術文献】
【特許文献】
【０００４】
【特許文献１】特開平１０−２１３１２３号公報（図２，６，７参照）
【特許文献２】特開２００７−５７００４号公報（図８参照）
【特許文献３】特開平７−２９２７７２号公報（図２参照）
【特許文献４】特開平６−７４２２７号公報（図１参照）
【０００５】
上記座金は、大小二枚１組の円板状の上座金（小座金）と下座金（大座金）を上下に重ね合わせた入れ子状の形態をなしたものである。上下の座金は、それぞれ座部の下面側に円形状の脚部が形成されている共通する形態をなし、いずれも座部の中心から偏心した位置において、下座金には上座金を嵌合するための孔が、また上座金にはアンカーボルトを挿通するための孔が、それぞれ座部と脚部を貫通するように設けられている。この場合、上座金の脚部が下座金の偏心孔に対して所定のクリアランスをもって嵌合され、円周方向に相対回転が可能になっている。鉄骨建て方作業において、基礎コンクリート上面に突出するアンカーボルトの位置が設計値よりずれていたときには、これら上下の座金を左右方向に回転して互いの位置関係を調整することにより、アンカーボルトを貫通させた状態で座金をベースプレートのアンカーボルト挿通孔に装着できる。さらに、この種の座金は、過大孔として形成されたベースプレートのアンカーボルト挿通孔を上下の座金の脚部でほぼ隙間なく充填する構造であるから、地震や風などによってせん断力がベースプレートに負荷されたとき、そのせん断力を座金下面の脚部を介して適正にアンカーボルトに伝えることができるという利点がある。
【０００６】
これら大小二枚１組で構成される入れ子状の座金（以下、入れ子座金と称することもある。）は、上座金と下座金が、いずれも略三日月状の断面をした円筒部（脚部）の上部に座部となる鍔状部分を備え、大径の下座金の内側に小径の上座金が納まっている。そして、ベースプレートの過大なアンカーボルト挿通孔に入れ子座金を装着した状態において、各部材の間に存在するクリアランスの合計が最大5ｍｍとなるように設計されている。具体的には、上座金の偏心孔（アンカーボルト受入れ孔）とアンカーボルトとの間の間隙、上座金の脚部が納まる下座金の偏心孔（脚部受入れ孔）と上座金の脚部との間の間隙、ベースプレートのアンカーボルト挿通孔（過大孔）と下座金の脚部との間の間隙の合計が5ｍｍ以内になることである。
【発明の概要】
【発明が解決しようとする課題】
【０００７】
ところで、特許文献１に記載の座金は、ベースプレートのアンカーボルト挿通孔に嵌合する円筒状の部分（下座金の脚部）がベースプレートの板厚とほぼ同じ長さであり、下座金の偏心孔（脚部受入れ孔）に入り込む上座金の脚部も同様に形成されている。この種の入れ子座金では、上述したように各部材間での適正なクリアランスの確保が特に重要であるから、高い精度で機械加工する部分が多くなり、製造コストの上昇が避けられない。このことは、この座金を使用する露出型柱脚の施工コストにも反映され、コストアップの一因となっていた。
【０００８】
これに対して、特許文献２〜４に記載の座金は、下座金と上座金の脚部長がいずれもベースプレートの板厚の半分以下に形成されている。このため、前者に比べて加工する部分が減少することにより、座金自体の製造コストが低下し、このタイプの座金は、露出型柱脚のコストを削減するのに有効である。ところが、露出型柱脚の定着後において、ベースプレートのアンカーボルト挿通孔内では、座金の脚部長が短くなったことにより、その分だけ座金の下方側に空隙部分が残る。すなわち、アンカーボルト挿通孔内でアンカーボルトの周囲に空隙部分が形成されることから、ベースプレートに作用するせん断力がアンカーボルトに対して適正に伝達されず、柱脚構造の力学性能の低下につながるという問題点があった。
【０００９】
本発明は、上記従来技術の課題を解決するために創出されたもので、アンカーボルト挿通孔が過大孔として形成されているベースプレートにより作用する地震や風などにより作用するせん断力を適正にアンカーボルトに伝達することができ、コスト面でも改善された露出型柱脚の定着構造と、これに使用する座金の提供を目的とする。
【課題を解決するための手段】
【００１０】
上記課題を解決するための技術手段として、本願の請求項１に係る発明は、鉄骨柱の下端部に固着したベースプレートのアンカーボルト挿通用の過大孔に対して、座金の下面に設けた脚部が上面側から嵌入し、基礎コンクリート表面に突出するアンカーボルトを座金に挿通した状態で、アンカーボルトに螺合するナットで上方から締め付け、ベースプレートの下面側へのグラウト材の充填により鉄骨柱を基礎コンクリート上に固定する露出型柱脚の定着構造であって、前記座金が、それぞれ座部と同心に脚部を形成した大小二個の上座金と下座金で構成され、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、該下座金の脚部受入れ孔に前記上座金の脚部を挿入して上下に重ね合わせた構造からなる入れ子座金と、グラウト材の注入時において、過大孔の下方から入り込んだグラウト材により押された過大孔内部の空気を外部に逃がす空気抜き部を備え、前記入れ子座金の脚部の長さが、前記ベースプレートの板厚より小さく、該脚部より下方の過大孔の内部が、該ベースプレートの下面側に侵入した前記グラウト材で充填されている、という構成を採用した点に特徴がある。
【００１１】
上記構成によれば、入れ子座金を介してアンカーボルトが挿通されるベースプレートの過大孔において、アンカーボルトが貫通している入れ子座金の脚部より下方の部分がグラウト材で充填され、アンカーボルトの周囲に実質的に空隙が生じないので、地震や風などによりベースプレートに作用するせん断力が、それら座金の脚部と下方に充填されたグラウト材とで確実（適正）にアンカーボルトに伝達されることになる。これにより、本発明の定着構造では、アンカーボルト挿通用の過大孔のクリアランスを法令に定める規定の値（５ｍｍ以内）とした場合と同等の力学性能を得ることができる。
【００１２】
さらに、上記請求項１の構成について、ベースプレートの板厚ｔ、過大孔の直径Ｄ及び入れ子座金の脚部の長さＦｂの関係について、（ｔ−Ｆｂ）／Ｄ＞０．１とすることが好適である（請求項２）。入れ子座金は、過大孔の内部で硬化したグラウト材の強度でせん断性能が決まるため、過大孔の内部に充填され硬化しているグラウト材の状態が重要である。過大孔の内部に入り込んだグラウト材の高さは、ベースプレートの底面から入れ子座金の脚部底面までの距離であるから、ベースプレートの板厚ｔから入れ子座金の脚部の長さＦｂを引いた値となる。そして、この硬化したグラウト材の高さ（ｔ−Ｆｂ）の過大孔の直径Ｄに対する比をグラウト縦横比としたとき、このグラウト縦横比が０．１以上となるような条件に設定することが好ましい。このような条件では、グラウト材の圧縮強度が十分に発揮され、入れ子座金の脚部と一体となって地震や風などによるせん断力をアンカーボルトに対して確実に伝達することができる。グラウト縦横比は、その値が大きいほどせん断性能が向上する。せん断性能を発揮する好適な条件は、グラウト縦横比が０．１以上であり、さらにグラウト縦横比が０．３以上あれば一般的な建築物の設計において十分なせん断性能を有する。
【００１３】
次に、請求項１または請求項２に記載の露出型柱脚の定着構造で使用する請求項３ないし請求項８に係る座金は、グラウト材の注入時において、いずれも過大孔内部に滞留する空気を外部に逃がす空気抜き部を備えたことに特徴がある。この構成によれば、ベースプレートと基礎コンクリートとの間の空間に注入されたグラウト材は、過大孔内部に滞留する空気を座金の空気抜き部から外部に押し出しながらベースプレートの過大孔の内部に下面側から入り込み、アンカーボルト周囲の隙間を確実に埋めることができる。
【００１４】
さらに、請求項３ないし請求項８に係る座金は、それぞれ座部と同心に脚部を形成した大小二個の上座金と下座金で構成され、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、下座金の脚部受入れ孔に上座金の脚部を挿入して上下に重ね合わせた構造からなる入れ子座金と、グラウト材の注入時において、過大孔の下方から入り込んだグラウト材により押された過大孔内部の空気を外部に逃がす空気抜き部を備え、例えば請求項３に係る座金では、空気抜き部が、入れ子座金における上座金の座部の上面でアンカーボルト受入れ孔から外周面に至る溝部とした点に特徴がある。
【００１５】
上記構成によれば、基礎コンクリートに下端側が埋め込まれ上端側がその上面に突出するアンカーボルトにベースプレートの過大孔を合わせて鉄骨柱脚を基礎コンクリート上に載置し、座金を介してアンカーボルトに螺合するナットで締め付ける作業において、そこで使用する座金が、上座金のアンカーボルト受入れ孔と下座金の脚部受入れ孔を座金の中心より偏心させると共に、座部の下面に脚部を設けた大小二個の座金を上下に入れ子状に重ね合わせた構造（入れ子座金）であるから、アンカーボルトの設置位置がずれていたとき、これら上下の座金を左右に回転させることで確実に過大孔に装着でき、鉄骨建て方作業が容易になる。さらに、上座金には空気抜き部となる溝部が設けられているので、ベースプレートの過大孔内に残る空気は、ベースプレート下面に注入されたグラウト材が過大孔の下方（ベースプレート下面側）から内部に入り込むことによって上方に押され、上座金に形成された溝部（空気抜き部）を介して外部に排出される。これにより過大孔内部へのグラウト材の侵入が阻害されることはなく、ベースプレートの過大孔の内部がグラウト材で確実に充填される。
【００１６】
また、上記請求項３の構成について、空気抜き部となる上座金上面の溝部を座部の最小幅の位置に設けることが好都合である（請求項４）。この場合には、座部の上面がナットや入れ子座金と併用する他の平座金で覆われた場合に、過大孔の内部空間から座部の外周面に至るまでの距離が最短距離となるので、確実に空気排出機能を発揮することができる。
【００１７】
さらに、上記請求項３の構成について、複数個の溝部を放射状に設けること（請求項５）、あるいは溝部のアンカーボルト受入れ孔側をアンカーボルト受入れ孔の上端部に形成された環状傾斜面に開口させること（請求項６）も可能であり、いずれの場合においてもグラウト材の注入時に上座金上面の溝部が空気排出機能を確実に発揮し、グラウト材の密実充填に大きく寄与する。
【００１８】
また、請求項７に係る座金は、空気抜き部が、入れ子座金における下座金の脚部の外周面に形成した軸心方向の縦溝と、座部の下面で縦溝に連続すると共に座部の外周面に開口する径方向の横溝とした点に特徴がある。
【００１９】
さらに、請求項８に係る座金は、それぞれ座部と同心に脚部を形成した大小二個の上座金と下座金で構成され、上座金にはアンカーボルトの外径に合わせた内径で座部と脚部を貫通するアンカーボルト受入れ孔を偏心して形成し、下座金には上座金の脚部の外径に合わせた内径で座部と脚部を貫通する脚部受入れ孔を偏心して形成すると共にその脚部の外径をベースプレートの過大孔に合わせ、下座金の脚部受入れ孔に上座金の脚部を挿入して上下に重ね合わせた入れ子座金と、この入れ子座金の上面側に重ねた平座金の組合せからなり、空気抜き部が、平座金を周方向の1か所で分断する切欠き部とした点に特徴がある。これら請求項７，８に係る座金は、請求項３に係る座金と同様な空気排出機能が得られ、ベースプレートの過大孔に対するグラウト材の密実充填が可能である。
【発明の効果】
【００２０】
本発明は、上記構成を採用したことにより、以下のような効果を得ることができる。
（１）ベースプレートの過大孔に嵌合する入れ子座金の脚部長をベースプレートの板厚よりも短くしたことにより、精密な機械加工を行う部分がその分だけ減少するので、入れ子座金の製造コストが低減する。したがって、この入れ子座金を使用する露出型柱脚のコストも低減されることになる。
（２）アンカーボルトが挿通されているベースプレートの下面側では、グラウト材が過大孔の下方（ベースプレートの下面側）からその内部空間に入り込むとき、入れ子座金の脚部より下側でアンカーボルト周囲の空間に滞留している空気が、グラウト材の侵入によって上方に押され、座金の空気抜き部を介して容易に外部に放出されるので、グラウト材の過大孔への流入が阻害されることがなく、アンカーボルト周囲の間隙がグラウト材で確実に充填される。すなわち、ベースプレートの過大孔内におけるアンカーボルトは、アンカーボルトが貫通した状態で過大孔に嵌合する入れ子座金の円筒状の脚部と、その直下にまで入り込んで過大孔内で硬化したグラウト材とにより、実質的に隙間なく包囲されるので、地震や風などによりベースプレートに作用するせん断力が、入れ子座金の脚部とアンカーボルト周囲にあるグラウト材とでアンカーボルトに伝達され、さらに基礎コンクリートへとスムーズに伝達されるので、露出型柱脚としての所要の固定性能を得ることができる。
【図面の簡単な説明】
【００２１】
【図１】本発明に係る露出型柱脚の定着構造を示す斜視図である。
【図２】（ａ）及び（ｂ）は、図１の定着構造で使用する入れ子座金の一方の構成部材である上座金の平面図と断面図である。
【図３】（ａ）〜（ｃ）は、図１の定着構造で使用する入れ子座金の他方の構成部材である下座金の平面図、斜視図及びＡ−Ａ断面図である。
【図４】過大孔の中心に位置するアンカーボルトと、図２の上座金及び図３の下座金からなる入れ子座金の嵌合状態を示す断面図である。
【図５】過大孔の中心から外れたアンカーボルトと、図２の上座金及び図３の下座金からなる入れ子座金の嵌合状態を示す断面図である。
【図６】本発明に係る露出型柱脚の定着構造の施工において、基礎コンクリート上でのレベルモルタルの設置状態を示す断面図である。
【図７】図６の次工程として、鉄骨建て方作業でのアンカーボルトの締付け状態を示す断面図である。
【図８】図７の次工程として、ベースプレートの周囲に型枠を設置した状態を示す平面図である。
【図９】図８の次工程として、グラウト材の注入方法を示す断面図である。
【図１０】本発明に係る露出型柱脚の定着構造について、施工が完了した状態を示す断面図である。
【図１１】図１０のＢ−Ｂ断面図である。
【図１２】アンカーボルトの締結部を拡大した断面図である。
【図１３】（ａ）〜（ｃ）は、入れ子座金で空気抜き部の形態が異なる上座金の平面図、正面図及び断面図である。
【図１４】（ａ）〜（ｃ）は、入れ子座金で空気抜き部を設けた下座金の平面図、正面図及びＣ−Ｃ断面図である。
【図１５】（ａ）及び（ｂ）は、入れ子座金と併用する空気抜き部を設けた平座金の平面図と斜視図である。
【図１６】図１５の平座金を使用した露出型柱脚の定着構造を示す斜視図である。
【発明を実施するための形態】
【００２２】
以下、本発明の実施形態について、添付図面を参照しながら説明する。図１は、本発明に係る露出型柱脚の定着構造について、一部のアンカーボルトの締結部を分解して外観全体を示した斜視図である。なお、本発明の特徴部分であるアンカーボルトの締結部に関しては、全体構造の説明をした後、図１２を中心にして詳しく説明する。図示の露出型柱脚の定着構造は、鉄骨柱１の下端部に固着されたベースプレート２が、基礎コンクリート（図示せず）上面に突出するアンカーボルト３で固定されたものである。ベースプレート２には、適用するアンカーボルト３の呼び径（Ｍ１２〜Ｍ８０）に応じて、その径よりも２２〜５０ｍｍ程度拡大した過大孔４が四隅の位置に形成されている。そして、それぞれのアンカーボルト３は、次に詳述する入れ子座金５と平座金６の組合せからなる座金７を挿通した状態で２個のナット８，８で締結されている。
【００２３】
図２，３は、入れ子座金５を２個１組で構成する上座金２０と下座金３０をそれぞれ示したものである。図２に示した上座金２０は、円板状の座部２１の上面に空気抜き部となる３個の溝部２２が放射状に形成され、その下面に脚部２３を同心状に形成した形態をなしている。さらに、アンカーボルト３の軸径に合わせた内径のアンカーボルト受入れ孔２４が、円板状の座部２１に対して偏心した位置で座部２１と脚部２３を貫通している。図３に示す下座金３０は、上座金２０の座部２１の外径よりも大きい円板状の座部３１の下面側にベースプレート２の過大孔４の内径に合わせた外径の脚部３２が座部３１と同心状に形成されると共に、上座金２０の脚部２３の外径に合わせた内径の脚部受入れ孔３３が、座部３１に対して偏心した位置で座部３１と脚部３２を貫通している。これらの上座金２０と下座金３０は、下座金３０の脚部受入れ孔３３に上座金２０の脚部２３を挿入し、互いの座部２１，３１を上下に重ね合わせた状態で入れ子座金５として使用される。
【００２４】
図４，５は、アンカーボルト３とベースプレートの過大孔４と入れ子座金５との関係を示し、互いの嵌合状態を明示するためにそれぞれの脚部２３，３２の位置で横断した断面図である。図４において、アンカーボルト３はベースプレート２の過大孔４のほぼ中心に位置している。すなわち、設計通りにアンカーボルト３が設置されている状況であり、この場合には、上座金２０と下座金３０の互いの嵌合位置は限定されるが、ベースプレート２の過大孔４に対しては、この嵌合状態（相対位置）を維持する限りにおいては、周方向のどの位置であっても下座金３０の脚部３２を嵌入させて装着することができる。
【００２５】
ところが、図５のようにアンカーボルト３が過大孔４の中心から外れている場合には、ベースプレート２の過大孔４と上座金２０と下座金３０の位置関係が重要になり、特定の位置でないと装着することができない。具体的な装着方法としては、まず下座金３０を回転することによってベースプレート２の過大孔４内にその脚部３２を嵌入する。次に、アンカーボルト３の上端を上座金２０のアンカーボルト受入れ孔２４に挿通した状態で上座金２０を回転（必要により下座金３０を回転）する。これにより、上座金２０が下座金３０の脚部受入れ孔３３内に嵌入すると同時に、アンカーボルト３の上端が上座金２０のアンカーボルト受入れ孔２４に対して適正に挿通された状態になる。そして、このような状態で図１に示すように、アンカーボルト３にダブルナット（シングルナットでもよい。）８，８を螺合して締め付けると、アンカーボルト３は入れ子座金５（上座金２０と下座金３０）によって過大孔４内で大きな隙間が生じることなく、その位置ずれも併せて吸収され、ベースプレート２を強固に固定する。
【００２６】
次に、本発明に係る露出型柱脚の定着構造について、図６〜１１を参照しながらその施工方法を説明する。図６に示すように、アンカーフレームなどの公知の手段により、複数本のアンカーボルト３を基礎コンクリート９の所定位置に突出状態で設置し、基礎コンクリート９が硬化した後、テンプレート１０を取り外し、レベルモルタル１１を適宜の場所に敷設する。
【００２７】
これに続く鉄骨建て方作業として、図７に示すように、鉄骨柱１の下端部に固着されているベースプレート２のアンカーボルト挿通用の過大孔４にアンカーボルト３を挿入しながら、レベルモルタル１１上にベースプレート２を載置し、水平方向の位置調整を行う。さらに、上記入れ子座金５を構成する上座金２０と下座金３０をアンカーボルト３に嵌め入れ、アンカーボルト３の位置ずれ状況に応じて適宜方向に回転し、ベースプレート２の過大孔４に対して下座金３０の脚部３２を嵌合する。さらに、上座金２０の上面に平座金６を重ねた後、２個のナット８，８で締め付ける。
【００２８】
図８は、図７の鉄骨建て方作業の次工程として、ベースプレートの周囲に型枠を設置した状態を示す平面図である。ベースプレート２に対して、例えば５０ｍｍの間隔をあけて型枠１２を矩形状に立設する。なお、ベースプレート２あるいは型枠１２にグラウト材の注入口を設けるようにした場合には、型枠１２をベースプレート２の側面に密接するように設置する。
【００２９】
次いで、図９に示すように、ベースプレート２の外側（周囲）からグラウト注入具１３で無収縮モルタル等のグラウト材Ｇを型枠１２の上端位置までゆっくりと流し入れる。グラウト材Ｇは、ベースプレート２の下面と基礎コンクリート９との隙間を満たし、さらにベースプレート２の過大孔４内に下方（ベースプレート２の下面側）から入り込み、入れ子座金５の下方に形成された空間を上昇する。本発明では、入れ子座金５の上座金２０が、その座部２１の上面に放射状に配置された３個の溝部２２を有することにより、ベースプレート２の下面及び過大孔４内に滞留する空気は、上座金２０のアンカーボルト受入れ孔２４とアンカーボルト３の隙間から上座金２０の溝部２２を通過して確実に外部に排出される。このような空気抜き手段の存在により、グラウト材Ｇは円滑に過大孔４内に入り込んで内部空間を確実に埋めることができる
【００３０】
図１０，１１は、本発明に係る露出型柱脚の定着構造について、注入したグラウト材Ｇが硬化し、型枠１２を外した施工完了状態を示す断面図とＢ−Ｂ断面図である。図に示すようにグラウト材Ｇは、ベースプレート２の過大孔４内で入れ子座金５の脚部下面にまで到達している。これにより、ベースプレート２の過大孔４において、アンカーボルト３の周囲の隙間がグラウト材Ｇで確実に充填されることになる。
【００３１】
図１２は、アンカーボルト３の締結部を拡大した断面図である。この場合、入れ子座金５は、ベースプレート２の過大孔４の内部で硬化したグラウト材Ｇによってそのせん断性能が影響を受けるため、過大孔４の内部に充填されているグラウト材Ｇの状態、具体的には縦横の寸法比が重要である。せん断性能を発揮するには、ベースプレート４の板厚ｔ、過大孔４の直径Ｄ、入れ子座金５の下座金３０における脚部３２の長さＦｂの関係が、（ｔ−Ｆｂ）／Ｄ＞０．１となるように設定することが好ましく、さらに一般的な建築物の設計においては０．３以上あれば十分である。なお、入れ子座金５に関しては、ベースプレート２の過大孔４に挿入される部分の長さ、すなわち下座金３０における脚部３２の長さＦｂが短くなるほど、加工面積が減少するのでコスト低減の面からは有利である。しかしながら、脚部３２の長さＦｂをあまり短くすると、ベースプレート２の過大孔４における掛合状態が不安定になり、施工時の位置決め機能が大幅に低下する。コストと強度のバランスを考慮すると、脚部３２の長さＦｂは、ベースプレート４の板厚ｔの１／４程度が好適である。
【００３２】
図１３（ａ）〜（ｃ）は、上記実施形態と同様な入れ子座金において、空気抜き部を図３とは異なる形態にした上座金の平面図、正面図及び断面図である。この場合の下座金は、図３に記載のものを使用する。図示の上座金４０は、座部４１の下面に同心状に脚部４２が設けられる点では図２のものと共通するが、溝部４３が座部４１の最も幅の狭い位置に１個形成され、その溝部４３がアンカーボルト受入れ孔４４の上端部に形成された環状傾斜面４５に開口し、これら溝部４３と環状傾斜面４５とにより空気抜き部が構成されたものである。
【００３３】
図１４（ａ）〜（ｃ）は、同じく上記実施形態と同様な入れ子状の座金において、空気抜き部を設けた下座金の平面図、正面図及び断面図である。図示の下座金５０は、座部５１の下面に同心状に脚部５２が設けられる点では図３のものと共通する。この場合、空気抜き部は、下座金５０の脚部５２の外周面に形成した軸心方向の縦溝５３と、座部５１の下面で一端側が縦溝５３に連続すると共に、他端側が座部５１の外周面に開口する径方向の横溝５４とで構成されている。空気抜き部は、脚部受入れ孔５５を中心として放射状に３個設けられている。なお、これまでに説明した上座金２０，４０，下座金５０において、溝部の大きさは幅２ｍｍ、深さ１ｍｍ以上が好ましい。また、本発明に係る露出型柱脚の定着構造において、空気抜き部が形成された入れ子座金を使用する場合には、上座金とナットとの間に平座金を設けることは必須要件ではない。
【００３４】
図１５（ａ）及び（ｂ）は、入れ子座金と併用する平座金の平面図と斜視図であり、図１６はその平座金を使用した露出型柱脚の定着構造を示す斜視図である。平座金６０は、円環状の座金本体６１が周方向の1か所で分断された略Ｃ字状をなす形態であり、この切欠き部６２が空気抜き部として機能するものである。図１６に示すように平座金６０は、上座金１４及び下座金１５のいずれにも溝部等の空気抜き手段が形成されていない通常の入れ子座金１６の上面側に重ねて使用されるものである。この場合、ベースプレート２の過大孔４の内部空間に滞留している空気は、グラウト材に押されて上昇し、上座金１４のアンカーボルト受入れ孔１４ａの内周面とアンカーボルト３の外周面との間隙を通過し、平座金６０の切欠き部６２から外部に排出される。このような実施形態においても、入れ子座金１６の直下の空間がグラウト材で充填されるので、所要の力学性能が得られる。
【００３５】
なお、本発明は上記実施形態に限定されるものではなく、入れ子座金に空気抜き部を設ける場合には、少なくとも上下の座金のどちらか一方に形成すればよいが、両方に設けることももちろん可能である。さらに、空気抜き部の形状や数、設置場所の変更など、本発明の技術思想内でさまざまな変更実施が可能である。
【産業上の利用可能性】
【００３６】
本発明に係る露出型柱脚の定着構造と、これに使用する座金は、鉄骨造などの建造物に使用された場合にその優位性が発揮され、構造躯体の耐震性能、施工性、経済性を向上させる手段としてさらなる展開が期待される。
【符号の説明】
【００３７】
１…鉄骨柱、２…ベースプレート、３…アンカーボルト、４…過大孔、５，１６…入れ子座金、６，６０…平座金、７…座金、８…ナット、９…基礎コンクリート、１０…テンプレート、１１…レベルモルタル、１２…型枠、１３…グラウト注入具、１４，２０，４０…上座金、１５，３０，５０…下座金、２１，３１，４１，５１…座部、２３，３２，４２，５２…脚部、１４ａ，２４…アンカーボルト受入れ孔、２２，４３，５３，５４…溝部、３３，５５…脚部受入れ孔、Ｇ…グラウト材